(57)【要約】【課題】  Ｘ線を放射するためのシステム及び方法、更に詳しくは、Ｘ線装置から所望のＸ線線量を投与するためのシステム及び方法を提供する。【解決手段】  所定のＸ線線量率を投与するためのＸ線放射システム及び方法。本システムは、Ｘ線エミッタ、Ｘ線エミッタに作動可能に接続されたコントローラ、コントローラに作動可能に接続された電流センサ、及び、コントローラに作動可能に接続された電圧センサを含む。コントローラは、受信した電流センサ信号と受信した電圧センサ信号とに基づいて実際の線量率を判断し、供給電圧を調節して実際の線量率を所定の線量率に合わせる。Ｘ線を放射するための装置を動作させる方法は、装置に電圧供給装置から電圧を印加する段階と、装置内の電流及び電圧を測定する段階と、測定された電流及び電圧に基づいて実際の線量率を判断する段階と、所望の線量率を実際の線量率と比較する段階と、印加電圧を調節する段階と、実際の線量率を所望の線量率に合わせる段階とを含む。
2005512273.tif 000002
【特許請求の範囲】
【請求項１】
Ｘ線エミッタと、
前記Ｘ線エミッタに作動可能に結合されたコントローラと、
前記コントローラに作動可能に結合された電流センサと、
前記コントローラに作動可能に接続された電圧センサと、
を含み、
前記コントローラは、受信した電流センサ信号及び受信した電圧センサ信号に基づいて実際の線量率を判断し、供給電圧を調節して該実際の線量率を所定の線量率に合わせる、
ことを特徴とする、Ｘ線を放射するためのシステム。
【請求項２】
前記電流センサは、前記Ｘ線エミッタを通る電流を毎秒複数回測定することを特徴とする請求項１に記載のシステム。
【請求項３】
前記電圧センサは、前記Ｘ線エミッタを通る電圧を毎秒複数回測定することを特徴とする請求項１に記載のシステム。
【請求項４】
前記コントローラは、照射深度に基づいて前記実際の線量率を調節することを特徴とする請求項１に記載のシステム。
【請求項５】
前記実際の線量率は、毎秒複数回計算されることを特徴とする請求項１に記載のシステム。
【請求項６】
前記実際の線量率は、
Ｄ＝ｆ×Ｉ×（Ｖ−Ｖ0）2、
によって判断され、ここで、
Ｄ＝前記エミッタからの距離ｒにおける前記実際の線量率、
ｆ＝定数、
Ｉ＝前記Ｘ線エミッタを通る電流、
Ｖ＝陽極及び陰極間に印加される電圧、及び
Ｖ0＝定数、
であることを特徴とする請求項１に記載のシステム。
【請求項７】
前記コントローラは、組織放射線吸収に合わせて修正することにより前記実際の線量率を調節することを特徴とする請求項１に記載のシステム。
【請求項８】
前記コントローラは、処置半径の増加による目標区域の増大に合わせて修正することにより前記実際の線量率を調節することを特徴とする請求項１に記載のシステム。
【請求項９】
瞬間電流値を時間で積算して累積電荷を判断するために、前記電流センサと前記コントローラとに作動可能に結合された電流積算器を更に含むことを特徴とする請求項１に記載のシステム。
【請求項１０】
Ｘ線を放射するための装置を動作させる方法であって、
装置に電圧供給装置からの電圧を印加する段階と、
前記装置内の電流及び電圧を測定する段階と、
前記測定された電流及び電圧に基づいて実際の線量率を判断する段階と、
所望の線量率を前記実際の線量率と比較する段階と、
前記印加電圧を調節する段階と、
前記実際の線量率を前記所望の線量率に合わせる段階と、
を含むことを特徴とする方法。
【請求項１１】
前記電流及び電圧を測定する段階は、該電流及び電圧を毎秒複数回サンプリングする段階を含むことを特徴とする請求項１０に記載の方法。
【請求項１２】
前記実際の線量率を判断する段階は、照射深度を調節する段階を含むことを特徴とする請求項１０に記載の方法。
【請求項１３】
前記実際の線量率を判断する段階は、組織放射線吸収に合わせて修正する段階を含むことを特徴とする請求項１０に記載の方法。
【請求項１４】
前記実際の線量率を判断する段階は、該実際の線量率を毎秒複数回計算する段階を含むことを特徴とする請求項１０に記載の方法。
【請求項１５】
前記実際の線量率を判断する段階は、該実際の線量率を、
Ｄ＝ｆ×Ｉ×（Ｖ−Ｖ0）2、
に従って計算する段階を含み、ここで、
Ｄ＝エミッタからの距離ｒにおける前記実際の線量率、
ｆ＝定数、
Ｉ＝Ｘ線エミッタを通る電流、
Ｖ＝陽極及び陰極間に印加される電圧、及び
Ｖ0＝定数、
であることを特徴とする請求項１０に記載の方法。
【請求項１６】
前記実際の線量率を判断する段階は、累積電荷を判断するために瞬間電流値を時間で積算する段階を含むことを特徴とする請求項１０に記載の方法。
【請求項１７】
前記印加電圧を調節する段階は、前記実際の線量率を安定化させる段階を含むことを特徴とする請求項１０に記載の方法。
【請求項１８】
オペレータが前記所望の線量率を選択する段階を更に含むことを特徴とする請求項１０に記載の方法。
【請求項１９】
測定された電流及び電圧に基づいて実際の線量率を判断するためのコンピュータ可読コードと、
所望の線量率を前記実際の線量率と比較するためのコンピュータ可読コードと、
印加電圧を調節するためのコンピュータ可読コードと、
前記実際の線量率を前記所望の線量率に合わせるためのコンピュータ可読コードと、
を含むプログラムを記憶する、コンピュータで使用可能な媒体。
【請求項２０】
電流及び電圧を測定する手段と、
測定された電流及び電圧に基づいて実際の線量率を判断する手段と、
所望の線量率を前記実際の線量率と比較する手段と、
印加電圧を調節する手段と、
前記実際の線量率を前記所望の線量率に合わせる手段と、
を含むことを特徴とする、Ｘ線を放射するためのシステム。
【発明の詳細な説明】
【技術分野】
【０００１】
本発明は、Ｘ線を放射するためのシステム及び方法に関するものであり、更に詳しくは、本発明は、Ｘ線装置から所望のＸ線線量を投与するためのシステム及び方法に関する。
【背景技術】
【０００２】
Ｘ線カテーテルのようなＸ線エミッタは、一般的に小型真空管内に取り付けられた陽極及び陰極アセンブリから成る。手術中、直流高電圧（１５から３５キロボルト）が電源からこのアセンブリに印加される。陽極から陰極までの隙間の高い電界により、陰極表面から電子電界放出が引き起こされる。真空の隙間の中に放出された電子は、電界により加速されて陽極に当たり、それらが停止した時にＸ線エネルギを放射する。
【０００３】
熱電子陰極すなわち熱陰極の放出特性は、陰極表面の温度に依存する。熱陰極は、陰極表面を加熱するための低電圧電流を供給する付加的な電極を利用する。放出特性及び陽極での電流は、陰極表面を昇温することにより改善される。更に、陽極の電流及び電圧は、互いに独立して制御及び安定化させることができる。
医療処置及び他の用途においては、熱陰極よりも電界放出陰極すなわち冷陰極が好まれることがある。冷陰極は、加熱電極がないために熱陰極よりも小型で作動温度が低い。冷陰極においては、電界放出電流の値は、印加電圧の指数関数である。従って、冷陰極では、電圧及び電流を独立して制御することはできない。
【０００４】
Ｘ線カテーテルは、経皮経管冠動脈形成（ＰＴＣＡ）を含む医療処置中、及び、血管又は体腔の照射が必要とされる時に利用される。Ｘ線カテーテルを失敗なく操作するには、目標区域に正確な放射線量を投与する能力が必要である。冷陰極からの電子放出の固有の不安定性のために、カテーテルに対する電力供給を設計するのが技術的に困難である。理想的には、放射線量をリアルタイムで計算することができように、電圧及び電流が測定されるべきである。そうすれば、所定の用途に対する所望の線量に対応するように、計算線量を調節することができるであろう。
【０００５】
電界放出陰極を含むＸ線装置から放出された照射線量を測定及び制御するための手法が少なくとも２つ存在する。１つの方法は、電圧が安定化される間に電流をモニタして積算するものである。全累積線量は、エミッタを通過した電荷に比例して計算される。しかし、照射率を公称値に維持するには、狭い範囲の安定化作動電圧（１８から２１キロボルト）の組が必要とされる。
別の方法は、安定化振幅を有する高電圧パルスを利用するものである。２０００年５月３０日にチョーネンキー他に付与された米国特許第６，０６９，９３８号は、パルス高圧電源を使用する方法及びＸ線装置の一例である。チョーネンキーの特許においては、Ｘ線エミッタを通過する電流が測定されて積算される。安定化振幅及び既知の周期を有する矩形電圧パルスは、エミッタに印加される。平均電流は、パルス幅を変えることにより安定化され、従って、照射率を安定化して線量を制御する。高圧電力を増減するスイッチングは技術的に困難であり、製造及びコストの観点から望ましくない。
【０００６】
【特許文献１】米国特許第６，０６９，９３８号
【特許文献２】米国特許出願第０８／８０６，２４４号
【特許文献３】米国特許第６，１０８，４０２号
【特許文献４】米国特許第６，０９５，９６６号
【特許文献５】米国特許第６，２１０，３１２号
【特許文献６】米国特許第６，１８３，４１０号
【発明の開示】
【発明が解決しようとする課題】
【０００７】
これらの開示された手法及び他の手法により、安定で制御された照射線量率を得ることができる。しかし、現在の設計には、大きなユニットサイズ及びコスト、発熱、及び狭い作動電圧範囲を含む限界がある。従って、上記及び他の欠点を克服する安定化された照射率を有するＸ線装置を達成することが必要と考えられる。
【課題を解決するための手段】
【０００８】
本発明の１つの態様は、Ｘ線エミッタと、Ｘ線エミッタに作動可能に接続されたコントローラと、コントローラに作動可能に接続された電流センサと、コントローラに作動可能に接続された電圧センサとを含むＸ線を放射するためのシステムを提供する。コントローラは、受信した電流センサ信号と受信した電圧センサ信号とに基づいて実際の線量率を判断することができ、供給電圧を調節して実際の線量率を所定の線量率に合わせることができる。電流センサ及び電圧センサは、毎秒複数回、Ｘ線エミッタを通る電流及び電圧をそれぞれ測定する。コントローラは、組織放射線吸収と処置半径の増加による放射状目標区域の増大とに合わせて修正することにより、照射深度に基づいて実際の線量率を調節することができる。コントローラは、瞬間電流値を時間で積算して累積電荷を判断するために、電流センサとコントローラとに作動可能に接続された電流積算器を更に含むことができる。実際の線量率は、毎秒複数回計算することができ、Ｄをエミッタからの距離ｒでの実際の線量率、ｆを定数、ＩをＸ線エミッタを通る電流、Ｖを陽極及び陰極間に印加された電圧、及びＶ0を定数とすると、Ｄ＝ｆ×Ｉ×（Ｖ−Ｖ0）2によって判断することができる。
【０００９】
本発明の別の態様は、装置に電圧供給装置から電圧を印加する段階と、装置内の電流及び電圧を測定する段階と、測定された電流及び電圧に基づいて実際の線量率を判断する段階と、所望の線量率を実際の線量率と比較する段階と、印加電圧を調節する段階と、実際の線量率を所望の線量率に合わせる段階とを含む、Ｘ線を放射するための装置を動作させる方法を提供する。印加電圧を調節する段階は、実際の線量率を安定化させる段階を含むことができ、オペレータは、所望の線量率を選択することができる。
【００１０】
本発明の更に別の態様は、測定された電流及び電圧に基づいて実際の線量率を判断し、所望の線量率を実際の線量率と比較し、印加電圧を調節し、実際の線量率を所望の線量率に合わせるためのプログラムを記憶する、コンピュータで使用可能な媒体を提供する。
本発明の上記及び他の特徴及び利点は、現時点での好ましい実施形態の以下の詳細説明を添付図面と共に読むことにより更に明らかになるであろう。この詳細説明及び図面は、限定的ではなく単に本発明を例示するものであり、本発明の範囲は、特許請求の範囲及びその均等物により規定される。
【発明を実施するための最良の形態】
【００１１】
本発明の一実施形態の図式的概略図が図１に示されている。Ｘ線システム１０は、Ｘ線エミッタ２１、Ｘ線エミッタ２１に作動可能に接続されたプログラマブルコントローラ２５、プログラマブルコントローラ２５に作動可能に接続された電流センサ２８、及びプログラマブルコントローラ２５に作動可能に接続された電圧センサ２７を含む。
本発明の別の実施形態は、装置に電圧供給装置からの電圧を印加する段階と、装置内の電流及び電圧を測定する段階と、測定された電流及び電圧に基づいて実際の線量率を判断する段階と、所望の線量率を実際の線量率と比較する段階と、印加電圧を調節する段階と、実際の線量率を所望の線量率に合わせる段階とを含む、Ｘ線エミッタ２１のようなＸ線を放射するための装置を動作させる方法を提供する。上述のシステム及び方法の構成及び作動は、実施形態の使用に関する以下の説明により更に理解することができる。
【００１２】
本発明のＸ線エミッタ２１は、Ｘ線放射を生成するために真空ハウジング内に配置された陽極及び陰極を含む電界放出ダイオードとすることができる。陰極は、薄いダイヤモンド膜を含むことができ、本明細書において引用により組み込まれる米国特許出願一連番号第０８／８０６，２４４号で説明されているように、ハウジング内の真空の品質を改善するために活性化されるゲッタ材料を含むことができる。この出願のＸ線エミッタ、エミッタのコンポーネント、及び患者体内の通路にこのようなカテーテルを配置するための様々な送出システムの適切な例は、他の特許に説明されている。Ｘ線エミッタは、本明細書において引用により組み込まれる、２０００年８月２２日にチョーネンキーに付与された米国特許第６，１０８，４０２号、及び、チョーネンキー他に付与された米国特許第６，０９５，９６６号に開示されている。Ｘ線エミッタと共に使用することができる送出用装置、システム、及び方法の幾つかの例は、本明細書において引用により組み込まれる、２００１年４月３日にナギーに付与された米国特許第６，２１０，３１２号、及び、２００１年２月６日にジャコブセン他に付与された米国特許第６，１８３，４１０号に説明されている。
【００１３】
Ｘ線エミッタ２１は、図１の患者体内の位置に図式的に示されている。当業者は、Ｘ線エミッタ２１は広範囲の医療及び技術的用途で利用することができ、人体内での使用に限定されないことを認識することができる。Ｘ線エミッタ２１は、ケーブル２３を通じてプログラマブルコントローラ２５に接続され、シース２２の内腔内に置くことができる。Ｘ線エミッタ２１及びケーブル２３は、適切な血管を通じて患者体内に挿入され、その血管を通って所望の処置区域に進めることができる。
【００１４】
電圧センサ２７及び電流センサ２８は、高圧電源２６及びケーブル２３に接続することができる。ケーブル２３は、高圧電源２６に接続されてもよい。当業者は、多くの異なる高圧電源を本発明と共に使用することができることを認めるであろう。一実施形態においては、高圧電源２６は、約１５から３５キロボルトの範囲の電圧、及び、約１０から１００マイクロアンペアの範囲の電流をＸ線エミッタ２１に供給する。電圧センサ２７を使用して、Ｘ線エミッタ２１を通る電圧を毎秒複数回測定することができる。また、電流センサ２８を使用して、Ｘ線エミッタ２１を通る電流を毎秒複数回測定することができる。多くの公知の電圧センサ及び電流センサをこの実施形態と共に使用することができる。例えば、電圧計を使用して電圧を測定することができ、電流計を使用して電流を測定することができる。一実施形態においては、電圧センサ２７及び電流センサ２８は、約１０から１００ミリ秒毎にそれぞれの測定を行うことができる。更に、Ｘ線システム１０及び方法は、瞬間電流値を時間で積算して累積電荷を判断するために、電流センサ２８とプログラマブルコントローラ２５とに作動可能に接続された電流積算器２９を含むことができる。
【００１５】
Ｘ線システム１０及び方法は、更に、カテーテル引抜きアセンブリ２４を含むことができる。カテーテル引抜きアセンブリ２４は、キャリッジが摺動可能に取り付けられた本体を含むことができる。シース２２は、本体に結合されてもよく、ケーブル２３は、キャリッジに結合されてもよい。カテーテル引抜きアセンブリ２４の本体上でキャリッジを摺動させることにより、ケーブル２３をシース２２内に引き込むことができ、それによってＸ線エミッタ２１が移動する。カテーテル引抜きアセンブリ２４は、更に、遠隔でキャリッジを作動させる手段を含むことができる。例えば、キャリッジをカテーテル引抜きアセンブリ２４とは別の電動モータ３０のような制御手段により作動することができるように、作動ケーブルをキャリッジに結合することができる。カテーテルの動きは、手で制御することもできる。
【００１６】
プログラマブルコントローラ２５は、高圧電源２６に接続することができ、最終的にＸ線エミッタ２１への供給電圧を判断することができる。プログラマブルコントローラ２５は、本発明の特定の意図する用途により、マイクロプロセッサ、回路基板、コンポーネント、及び入出力装置の異なる構成を含むことができる。プログラマブルコントローラ２５は、高圧電源２６を含むＸ線システム１０及び方法の構成要素を制御するために、コンピュータプログラムの形態のアルゴリズムを実行することができる。コンピュータプログラムは、測定された電流及び電圧に基づいて実際の線量率を判断し、所望の線量率を実際の線量率と比較し、印加電圧を調節し、実際の線量率を所望の線量率に合わせることができる。
【００１７】
プログラマブルコントローラ２５は、電圧センサ２７及び電流センサ２８に接続することができ、また、電流積算器２９及びカテーテル引抜きアセンブリ２４に接続することができる。一実施形態においては、測定値の共有をもたらすために、装置及びプログラマブルコントローラ２５間を電気的又はデジタル的に接続することができる。一実施形態においては、カテーテル引抜きアセンブリ２４を通じてＸ線エミッタ２１の動きを制御するために、カテーテル引抜きアセンブリ２４からプログラマブルコントローラ２５に至る作動ケーブルのような機械的接続を行うことができる。
【００１８】
プログラマブルコントローラ２５は、受信電流センサ２８信号及び受信電圧センサ２７信号に基づいて実際のＸ線線量率を判断することができる。プログラマブルコントローラ２５は、実際の線量率を所定の線量率に合わせるために供給電圧を調節することができる。代替的に、プログラマブルコントローラ２５は、受信した電流積算器２９情報、例えば累積電荷に基づいて実際の線量率を判断することができる。プログラマブルコントローラ２５は、組織放射線吸収と処置半径の増加による放射状目標区域の増大とに合わせて修正することにより、照射深度に基づいて実際の線量率を調節することができる。Ｘ線照射手順を実行する医師などのオペレータは、所定の線量率及び全所定線量を選択することができる。
【００１９】
一実施形態においては、実際の線量率は、ＤをＸ線エミッタ２１からの照射深度ｒでの実際の線量率、ｆを電流又は電圧から独立した定数、ＩをＸ線エミッタ２１を通る電流、Ｖを陽極及び陰極間に印加される電圧、及びＶ0を定数とすると、公式Ｄ＝ｆ×Ｉ×（Ｖ−Ｖ0）2に基づいて計算することができる。定数ｆは、Ｘ線放射の吸収と、組織内への深度が大きくなる時のより大きな円筒形目標区域に亘るその放射の広がりとを説明する。一実施形態においては、定数ｆは、照射深度ｒのみに依存する。照射深度ｒは、血管壁のＸ線吸収と処置半径の増加による放射状目標区域の増大とに依存する場合がある。実際の線量率は、計算するか又は実験的に測定して作表することができる。この作表は、例えば、Ｘ線システム１０のオペレータに、電流Ｉ、電圧Ｖ、及び照射深度ｒの所定値に対する線量率を提供することができる。Ｖ0は、Ｘ線エミッタ２１のデザインに依存する定数であり、また、エミッタシェルにより除去され、従って目標区域に到達しないＸ線放射のカットオフエネルギを表す定数である。プログラマブルコントローラ２５は、照射深度ｒと放出放射線のスペクトルにより判断されるカットオフエネルギＶ0とに基づいて実際の線量率を調節することができる。理論的なシミュレーションは、制動放射に関して、Ｘ線エミッタ２１からの照射深度ｒでの線量率がこの公式を用いて説明できることを示している。任意のＸ線エミッタについては、ｆ及びＶ0の値は、エミッタ壁とエミッタ外面上の金属コーティングとの実際の厚みにより若干変動する。一実施形態においては、値ｆ及びＶ0を測定する実際的かつ正確な方法は、幾つかの異なる作動電圧での実際の線量率Ｄを測定する段階を伴う。その後、曲線当てはめアルゴリズムが公式Ｄ＝ｆ×Ｉ×（Ｖ−Ｖ0）2に対するデータポイントに適用され、ｆ及びＶ0が実験的に判断される。
【００２０】
実際の線量率は、毎秒複数回計算することができる。理想的には、プログラマブルコントローラ２５は、約１０から１００ミリ秒毎に計算を行うことができる。この計算は、電流センサ２８、電流積算器２９、電圧センサ２７、又はその組合せからの情報を利用する段階を伴う場合がある。更に、当業者は、任意の数の代替公式又は近似的方法が実際の線量率を判断するためにセンサ信号情報を効果的に利用し得ることを認めるであろう。プログラマブルコントローラ２５は、次に、計算された実際の線量率を所定の線量率と比較し、Ｘ線エミッタ２１に対する印加電圧を調節することにより、実際の線量率を安定させる。例えば、実際の線量率が所定の線量率を上回る場合は、実際の線量率を所定の線量率に合わせるためにＸ線エミッタ２１に供給される電圧が相応に下げられる。その方法が図２に示されている。実際線量率の最大値Ｄ最大３１及び最小値Ｄ最小３２をもたらす場合がある実際線量率の不安定性は、プログラマブルコントローラにより均衡化される。その結果、実際線量率の平均値は、ほぼ所定の線量率３３に符合し、線量率の安定化が達成される。更に、電流及び電圧の両方の値を使用して実際線量率の近似値を判断することは、目標区域に正確な全放射線量を投与する能力をもたらし、冷陰極からの電子放出の固有の不安定性を克服することができる。
【００２１】
一実施形態においては、Ｘ線エミッタ２１は、カテーテル法の公知の手順に従って患者体内の通路に配置することができる。Ｘ線エミッタ２１は、放射線で処置される特定区域の近くに配置することができる。例えば、Ｘ線エミッタ２１は、放射線を処置区域全体に供給するためにそれを処置中に連続的に引き込むことができるように特定処置区域の近くに配置することができる。Ｘ線エミッタ２１は、ケーブル２３に結合し、ケーブル２３を通路内に導入されたシース２２を通して進めることにより送り出すことができる。更に、シース２２は、誘導線（図示せず）を使用して最初に誘導線を通路内に導入し、次に誘導線に沿ってシース２２を進めることにより通路内に進めることができる。
【００２２】
例えば再狭窄を防止するために、約１０から５０グレーの範囲のＸ線放射を処置中に通路内部の区域に加えることができる。好ましくは、１５から３０グレーの範囲のＸ線放射を体内部位に加えることができる。この処置は、約２から１０分間続くように構成することができる。一実施形態においては、この処置は、約３から５分間続くように構成することができる。Ｘ線エミッタ２１は、処置を必要とする区域の長さにより、処置進行中に配置し直すことができる。
【００２３】
一実施形態においては、患者に関する任意の特定の処置パラメータをプログラマブルコントローラ２５に入力することができる。例えば、作動電圧、処置区域の長さ、及び所望の線量率を処置パラメータとして入力することができる。作動電圧は、Ｘ線透過の深さを決める。実際の線量率は、周囲の組織及び処置される病状に依存する場合がある。Ｘ線エミッタ２１がその初期位置にあって処置パラメータが入力されている場合、処置を始めることができる。高電圧をＸ線エミッタに供給することができて、Ｘ線放射が放出される。投与した全実際線量が所望の全線量に符合した状態で、プログラマブルコントローラ２５は、Ｘ線エミッタ２１への高電圧の供給を停止することができる。Ｘ線エミッタ２１及びシース２２が患者から取り除かれて処置を終了することができる。
本明細書で開示した本発明の実施形態は現時点では好ましいと考えられるが、本発明の精神及び範囲から逸脱することなく、様々な変更及び修正を行うことができる。本発明の範囲は、特許請求の範囲に示されており、その意味及び均等物の範囲に該当する全ての変更は、それに包含されるものとする。
【図面の簡単な説明】
【００２４】
【図１】本発明の一実施形態の図式的概略図である。
【図２】本発明の別の実施形態における実際の線量率を時間の関数で示す概略図である。
【符号の説明】
【００２５】
３１  Ｄmax  実際線量率の最大値
３２  Ｄmin  実際線量率の最小値
３３  所定の線量率
【図１】
2005512273.tif 000003
【図２】
2005512273.tif 000004
【国際調査報告】
2005512273.tif 000005
2005512273.tif 000006